(57)【要約】【課題】受信状態が不良の場合での受信レベルの表示の自由度を向上した放送受信装置および放送受信方法を提供する。【解決手段】放送受信装置が，放送電波を受信する受信部と，前記受信した放送電波の強度を測定する測定部と，前記受信した放送電波に含まれる放送信号を分離する分離部と，前記分離された放送信号の良否を判定する判定部と，前記放送信号が不良と判定されたときに，前記放送電波の強度の表示の指示を入力する入力部と，前記指示の入力に基づき，前記放送電波の強度を表示する表示部と，を具備する。【選択図】図１
2009201001.tif 000002
【特許請求の範囲】
【請求項１】
放送電波を受信する受信部と，
前記受信した放送電波の強度を測定する測定部と，
前記受信した放送電波に含まれる放送信号を分離する分離部と，
前記分離された放送信号の良否を判定する判定部と，
前記放送信号が不良と判定されたときに，前記放送電波の強度の表示の指示を入力する入力部と，
前記指示の入力に基づき，前記放送電波の強度を表示する表示部と，
を具備することを特徴とする放送受信装置。
【請求項２】
前記表示部が，前記放送信号が不良であることを表すメッセージおよび前記入力用の操作ガイドを表示する
ことを特徴とする請求項１記載の放送受信装置。
【請求項３】
前記放送信号が不良と判定されたときに，前記入力部への操作内容の割り当てが変更される
ことを特徴とする請求項１または２に記載の放送受信装置。
【請求項４】
前記表示部が，操作用のメニューを表示し，
前記表示されるメニューに基づいて，前記放送電波の強度の表示の指示が入力される
ことを特徴とする請求項１または２に記載の放送受信装置。
【請求項５】
前記放送信号が不良と判定されたときに，前記メニューの構成が変更される
ことを特徴とする請求項４に記載の放送受信装置。
【請求項６】
前記変更されたメニューの先頭項目が放送電波の強度の表示を指示する項目である，
ことを特徴とする請求項５に記載の放送受信装置。
【請求項７】
前記変更されたメニューのカーソルが放送電波の強度の表示を指示する項目に配置される，
ことを特徴とする請求項５に記載の放送受信装置。
【請求項８】
放送電波を受信するステップと，
前記受信した放送電波の強度を測定するステップと，
前記受信した放送電波に含まれる放送信号を分離するステップと，
前記分離された放送信号の良否を判定するステップと，
前記放送信号が不良と判定されたときに，前記放送電波の強度の表示の指示を入力するステップと，
前記指示の入力に基づき，前記放送電波の強度を表示するステップと，
を具備することを特徴とする放送受信方法。
【発明の詳細な説明】
【技術分野】
【０００１】
本発明は，放送受信装置および放送受信方法に関する。
【背景技術】
【０００２】
ＢＳデジタル放送に続き、１１０度ＣＳデジタル放送，地上デジタル放送が開始され、テレビ放送のデジタル化が進められている。アナログ放送では受信状態が悪くなると映像音声共にノイズ交じりになる。更に受信状態が悪くなると、いわゆる「砂嵐」と呼ばれるようなノイズ状態となる。一方，デジタル放送ではMPEG方式のストリームが送られ、受信状態が悪くなると、映像にモザイク状のノイズ（ブロックノイズ）が現れ、音声は途切れたり異音を含んだりする。
【０００３】
多くのデジタル放送受信機では、受信機設置時のアンテナ方向調整の目安として利用したり、受信状態が悪くなった時に確認したりできるように、放送電波の強度を表示可能としている。
【０００４】
なお，マルチパスによって受信状態が支障を来しているメッセージと受信レベルとを併せて表示する技術が公開されている（特許文献１参照）。
【特許文献１】特開２００４−２３６０７６号公報，００３０，００３１段落，図７
【発明の開示】
【発明が解決しようとする課題】
【０００５】
しかしながら，上述の技術では，受信レベルが自動的に表示され，受信レベルの表示の自由度が制限される。受信状態が不良な場合でも，放送電波の強度表示を希望しない場合もあり得る。
上記に鑑み，本発明は，受信状態が不良の場合での受信レベルの表示の自由度を向上した放送受信装置および放送受信方法を提供することを目的とする。
【課題を解決するための手段】
【０００６】
本発明の一態様に係る放送受信装置は，放送電波を受信する受信部と，前記受信した放送電波の強度を測定する測定部と，前記受信した放送電波に含まれる放送信号を分離する分離部と，前記分離された放送信号の良否を判定する判定部と，前記放送信号が不良と判定されたときに，前記放送電波の強度の表示の指示を入力する入力部と，前記指示の入力に基づき，前記放送電波の強度を表示する表示部と，を具備する。
【０００７】
本発明の一態様に係る放送受信方法は，放送電波を受信するステップと，前記受信した放送電波の強度を測定するステップと，前記受信した放送電波に含まれる放送信号を分離するステップと，前記分離された放送信号の良否を判定するステップと，前記放送信号が不良と判定されたときに，前記放送電波の強度の表示の指示を入力するステップと，前記指示の入力に基づき，前記放送電波の強度を表示するステップと，を具備する。
【発明の効果】
【０００８】
本発明によれば，受信状態が不良の場合での受信レベルの表示の自由度を向上した放送受信装置および放送受信方法を提供できる。
【発明を実施するための最良の形態】
【０００９】
以下、図面を参照して、本発明の実施の形態を詳細に説明する。
図１は、本発明の一実施形態に係る放送受信装置１００を表すブロック図である。放送受信装置１００は、録画機能付きのデジタルテレビに対応する。
【００１０】
放送受信装置１００は、アンテナ１０１、チューナ・復調部１０２、デスクランブラ１０３、多重分離部（ＤＥＭＵＸ）１０４、映像・音声デコーダ１０５ａ、ＯＳＤ部１０５ｂ，モニタ１０６、スピーカ１０７、ＥＰＧ処理部１０８、録画処理部１０９、制御部１１１、無線受信部１１２、キー入力部１１３、記憶部１２０を有する。
【００１１】
アンテナ１０１は、放送局から送信される放送電波を受信する。チューナ・復調部１０２は、アンテナ１０１で受信された放送電波から所望のチャンネルを選局し、復調して、トランスポートストリーム（以下、「ＴＳ」と記す）を生成する。生成されたＴＳはデスクランブラ１０３に出力される。このＴＳは、スクランブル化放送信号、ＳＩ／ＰＳＩを含む多重化された信号である。スクランブル化放送信号は、例えば、ＭＰＥＧ−２の放送信号がスクランブル化されたものである。チューナ・復調部１０２は、放送電波の強度を測定し，その結果を制御部１１１に出力する。即ち，チューナ・復調部１０２は、受信した放送電波の強度を測定する測定部として機能する。
【００１２】
ＳＩ／ＰＳＩは、番組配列情報である。ＳＩは、ＳＤＴ（Service Definition Table）やＥＩＴ（Event Information Table）等を含む。ＳＤＴは、サービス（編成チャンネル）の詳細情報を記述する。ＥＩＴは、サービス内の番組の詳細情報を記述する。ＰＳＩは、多重された複数の番組の構成等を記述したものであり、ＰＡＴ（Program Association Table）、ＰＭＴ（Program Map Table）等を含む。
【００１３】
デスクランブラ１０３は、チューナ・復調部１０２から入力されたＴＳをデスクランブルして多重分離部１０４へ出力する。即ち、ＴＳ中のスクランブル化放送信号がデスクランブルされて、放送信号が生成される。
【００１４】
多重分離部１０４は、デスクランブラ１０３から入力されたＴＳから放送信号、ＳＩ／ＰＳＩ等を分離する。即ち，多重分離部１０４は、受信した放送電波に含まれる放送信号を分離する分離部として機能する。多重分離部１０４は、分離した放送信号を映像・音声デコーダ１０５ａへ出力する。
【００１５】
また、多重分離部１０４は、分離した放送信号の良否を判定し，その結果を制御部１１１に出力する。即ち，多重分離部１０４は、分離された放送信号の良否を判定する判定部として機能する。例えば，放送信号の分離の可否，分離した放送信号のＢＥＲ（Bit Error Rate）により，放送信号の良否を判定できる。
【００１６】
映像・音声デコーダ１０５ａは、多重分離部１０４から入力された放送信号をデコードして、モニタ１０６、スピーカ１０７へと出力する。
ＯＳＤ（On Screen Display）部１０５ｂは，番組と重畳して，設定メニュー，番組表等をモニタ１０６に表示させる。
モニタ１０６は、ＣＲＴ、液晶表示装置等の表示装置である。スピーカ１０７は、音声出力装置である。
【００１７】
ＥＰＧ処理部１０８は、多重分離部１０４で分離されたＳＩデータから番組表（ＥＰＧ（Electronic Program Guide：電子番組ガイド））を構成し，さらに番組表の画像信号を生成する。この画像信号によってモニタ１０６に番組表が表示される。利用者は番組表を用いて番組を確認、予約できる。
【００１８】
録画処理部１０９は、多重分離部１０４、あるいは映像・音声デコーダ１０５ａから出力される放送信号を用いて、放送を録画し、再生する。録画処理部１０９は、内蔵するメモリ，ハードディスク等の記憶部，あるいは外部の記憶装置や録画装置に放送番組を録画する。
【００１９】
制御部１１１は、ＣＰＵ（Central Processing Unit：中央演算装置）から構成され、放送受信装置１００全体を制御する。
【００２０】
無線受信部１１２は、リモコン１３１から無線（例えば、赤外線）で送信されるユーザ操作情報を受信する。リモコン１３１は、「カーソル」ボタン、カラーボタン（「青」ボタン、「赤」ボタン）、「決定」ボタン、「戻り」ボタンを有し、ユーザ操作情報の入力が可能である。
【００２１】
キー入力部１１３は、例えば，放送受信装置１００本体の操作ボタンである。また、キー入力部１１３として，例えば，キーボードのようなユーザ操作情報を入力する入力装置も利用可能である。キー入力部１１３に、「カーソル」ボタン、カラーボタン（「青」ボタン、「赤」ボタン）、「決定」ボタン、「戻り」ボタンを有し、リモコン１３１と同様に、ユーザ操作情報の入力も可能である。
【００２２】
記憶部１２０は、ＲＯＭ（Read Only Memory）１２１、ＲＡＭ（Random Access Memory）１２２、ＮＶＲＡＭ（Non Volatile RAM：不揮発性メモリ）１２３で構成される。ＲＯＭ１２１は、制御部１１１が動作するためのプログラム等を記憶する。ＲＡＭ１２２は、制御部１１１の動作時に利用され、プログラム、データ等が書き込まれる。ＮＶＲＡＭ１２３は、放送受信装置１００の設定情報等を記憶する。
【００２３】
（放送受信装置１００の動作）
図２は，放送受信装置１００の動作手順の一例を表すフロー図である。
【００２４】
（１）放送電波の強度の測定（ステップＳ１１）
アンテナ１０１で受信した放送電波の強度がチューナ・復調部１０２で測定される。また，チューナ・復調部１０２は，放送電波からＴＳを生成し，デスクランブラ１０３に出力する。デスクランブラ１０３は，ＴＳをデスクランブルして多重分離部１０４へ出力する。
【００２５】
（２）放送信号の分離（ステップＳ１２）
多重分離部１０４は、デスクランブラ１０３から入力されたＴＳから放送信号、ＳＩ／ＰＳＩ等を分離する。
【００２６】
（３）放送信号の良否の判定（ステップＳ１３）
多重分離部１０４は、分離した放送信号の良否を判定し，その結果を制御部１１１に出力する。
【００２７】
ここで，放送信号が不良な場合とは，多重分離自体が行えない場合，多重分離，デコードがなされているものの，映像にブロックノイズが発生している場合の双方を含むものとする。前者の場合（多重分離自体が行えない場合），映像そのものが表示されない。後者の場合（多重分離，デコードが継続するが，ブロックノイズが生じている場合），映像が表示される。
【００２８】
前者の場合，受信状態が不良であること（受信エラー）を表すメッセージがモニタ１０６上に表示される。映像が表示されていないため、受信エラーのメッセージを表示しても視聴の妨げにはならない。
【００２９】
（４）放送電波の強度表示の指示の入力（ステップＳ１４）
放送信号が不良な場合，放送電波の強度表示画面（アンテナレベル表示画面）に切り替えるための入力が容易となる。この入力は例えば，次のようにして行う。
【００３０】
ａ．操作ボタンの割り当て変更
リモコン１３１の操作ボタンは，通例，放送の再生の操作のために用いられる。しかし，受信エラーのメッセージが表示されているときには，放送が実質的に再生されていないことから，リモコン１３１の操作ボタンを放送電波の強度表示用（アンテナレベル表示用）に割り当てることができる。このとき，放送電波の強度表示の入力を促すメッセージがモニタ１０６上に表示される。
【００３１】
図３は，放送電波の強度表示の入力を促すメッセージの一例を表す。ここでは，「青」ボタンの操作により，放送電波の強度を表示できることを表している。このように，カラーボタン（「青」ボタン，「赤」ボタン），「決定」ボタン等に放送電波の強度表示の指示用に割り当てることで，放送電波の強度を容易に確認できる。なお，受信状態が良好となったら，リモコン１３１の操作ボタンの割り当ては，通常の状態に復帰する。
【００３２】
この割り当ての変更，復帰は，例えば，ボタンと操作内容の対応関係を表すボタン−操作テーブルをＲＡＭ１２２に保持させることで，可能となる。即ち，受信状態が不良となったら，ボタン−操作テーブルを書き換えて，ボタンへの操作の割り当てを変更する。受信状態が良好となったら，ボタン−操作テーブルを書き戻して，ボタンへの操作の割り当てを元に戻す。
【００３３】
ｂ．操作メニューの変更
受信状態が不良の場合に，簡易操作メニュー（「クイックメニュー」「簡単メニュー」）を変更し，放送電波の強度表示用の項目の選択を容易とする。例えば，簡易操作メニューの先頭項目を放送電波の強度表示用の項目とする。即ち，受信状態が不良のとき，項目の順序を変更したり，新たな項目を出現させたりして，放送電波の強度表示操作を容易とする。また，簡易操作メニュー自体は変化させず，項目を選択するためのカーソルを放送電波の強度表示用の項目に移動させても良い。
【００３４】
この簡易操作メニューの変更，復帰は，例えば，通常用と受信状態不良時用のメニューを用意することで可能となる。即ち，受信状態が不良となったら，表示する簡易操作メニューを受信状態不良時用のメニューとする。受信状態が良好となったら，表示する簡易操作メニューを通常用のメニューに戻す。
【００３５】
ｃ．操作画面の自動表示
受信状態が不良の時に，放送電波の強度表示用の操作画面を表示させても良い。
図４は，この操作画面の一例を表す図である。この例では，リモコン１３１の「カーソル」ボタンで「はい」「いいえ」を選択する。さらに，「決定」ボタンあるいは「選択」ボタンにより，放送電波の強度表示への切り換え、または選択画面の消去を行うことができる。また，「赤」ボタンでアンテナレベル表示への切り換え、「青」ボタンで選択画面の消去、といった操作方法にすることも可能である。
【００３６】
ｄ．専用ボタンの用意
放送電波の強度表示用の専用ボタンを用意すれば、受信エラーのメッセージを表示している時でも、番組が再生されている時でも、１ボタンの操作でアンテナレベルを確認できる。
【００３７】
以上の入力手段は，多重分離自体が行えない場合，多重分離，デコードがなされているものの，映像にブロックノイズが発生している場合それぞれに応じて利用できる。ａ．「操作ボタンの割り当て変更」は前者に適し，ｃ．「操作画面の自動表示」は，どちらかと言えば前者に適する。多重分離自体が行えない場合，映像自体が表示されない。このため，ボタンの割り当てが変更されたり，操作画面が表示されたりしても映像の視聴への影響が無い。また，多重分離自体が行えない場合は，データ放送も動作しないため、データ放送で使用する操作ボタンの割り当てを変更しても影響がない。多重分離が行われている場合には、データ放送も動作している場合がある。この場合、データ放送に優先して操作ボタンを使用するような操作画面などが必要となる。一方，ｂ．「操作メニューの変更」，ｄ．「専用ボタンの用意」は，前者，後者に依らず適用できる。
【００３８】
即ち，多重分離自体が行えない場合，多重分離，デコードがなされているものの，映像にブロックノイズが発生している場合それぞれで，放送電波の強度表示の指示の入力手段を変更することが考えられる。例えば，前者の場合に，ａ．「操作ボタンの割り当て変更」，ｃ．「操作画面の自動表示」のいずれかを実行し，後者の場合に，ｂ．「操作メニューの変更」を実行する。
【００３９】
（５）放送電波の強度表示（ステップＳ１５）
ユーザの操作により，モニタ１０６上にアンテナレベルが表示される。
図５は，放送電波の強度表示画面の一例を表す図である。ここでは，多重分離自体が行えない場合を想定している。受信状態が不良であることを表すメッセージに加えて，受信信号の強度（アンテナレベル）を示す数字およびバーＢ０が表示される。ここで表示される強度は，絶対的な強度でも良いが，受信するチャンネルに対応した相対的なものとする方が好ましい。
【００４０】
また，アンテナレベルと対応して，受信強度の弱，中程度，強それぞれの範囲を表すバーＢ１〜Ｂ３が表示される。バーＢ１〜Ｂ３それぞれに適宜に色が付される。受信強度の範囲を色分けすることで，ユーザによる確認が容易となる。
【００４１】
ここで，ユーザからの入力を伴わず，アンテナレベルを自動的に表示することも可能である。このように表示することで、受信エラー時に、ユーザは特に操作することなく、アンテナレベルを確認できる。
【００４２】
なお，設定メニューからの操作により，アンテナレベルを表示させることも可能である。
図６は，放送電波の強度表示画面の一例を表す図である。伝送チャンネル（ここでは，ＵＨＦ２５），受信中の放送局（地上波デジタル１１１チャンネル，○×テレビ）に加えて，受信信号の強度（アンテナレベル）を示すバーＢ０，受信強度の弱，中程度，強それぞれの範囲を表すバーＢ１〜Ｂ３が表示される。また，受信信号の強度（ここでは，「２１」），所定期間内での受信信号の強度の最大値（ここでは，「（最大２１）」）が表される。
【００４３】
以上のように，本実施形態では，受信状態が悪いときに、ユーザがアンテナレベルを容易に確認することができる。これに対して，設定メニューからの操作により，アンテナレベルの表示が可能であっても，操作が複雑だとユーザがアンテナレベルを容易に確認することができなくなる。また、ユーザがアンテナレベル表示画面の出し方が分からなかったり、アンテナレベル表示画面自体を知らなかったりする場合があり得る。例えば，ユーザが設置時にしか見ていない、あるいは、線を繋ぐだけで受信できたり、自分で設置作業をしていなかったりした場合に，このような状況があり得る。
【００４４】
（その他の実施形態）
本発明の実施形態は上記の実施形態に限られず拡張，変更可能であり，拡張，変更した実施形態も本発明の技術的範囲に含まれる。
【図面の簡単な説明】
【００４５】
【図１】本発明の一実施形態に係る放送受信装置１００を表すブロック図である。
【図２】放送受信装置１００の動作手順の一例を表すフロー図である。
【図３】放送電波の強度表示の入力を促すメッセージの一例を表す図である。
【図４】放送電波の強度表示用の操作画面の一例を表す図である。
【図５】放送電波の強度表示画面の一例を表す図である。
【図６】放送電波の強度表示画面の一例を表す図である。
【符号の説明】
【００４６】
１００…放送受信装置，１０１…アンテナ，１０２…チューナ・復調部，１０３…デスクランブラ，１０４…多重分離部，１０５ａ…映像・音声デコーダ，１０５ｂ…ＯＳＤ部，１０６…モニタ，１０７…スピーカ，１０８…ＥＰＧ処理部，１０９…録画処理部，１１１…制御部，１１２…無線受信部，１１３…キー入力部，１２０…記憶部，１３１…リモコン
【図１】
2009201001.tif 000003
【図２】
2009201001.tif 000004
【図３】
2009201001.tif 000005
【図４】
2009201001.tif 000006
【図５】
2009201001.tif 000007
【図６】
2009201001.tif 000008